【手続補正書】
【提出日】平成16年12月2日(2004.12.2)
【手続補正１】
【補正対象書類名】特許請求の範囲
【補正対象項目名】全文
【補正方法】変更
【補正の内容】
【特許請求の範囲】
【請求項１】
脳卒中患者に大気圧以上の圧力で通気可能な空気を供給し、前記患者の空気流を計測し、前記空気流から脳卒中指示器を確定し、前記脳卒中指示器が患者の状態についての情報を表すという各ステップからなる脳卒中患者の状態を判断するための方法。
【請求項２】
前記確定ステップが、中枢性無呼吸の発生を確定するために前記空気流を分析し、且つ、前記脳卒中指示器が、中枢性無呼吸の前記発生の関数として計算される請求項１に記載の方法。
【請求項３】
前記確定ステップが、閉塞性無呼吸の発生を確定するために前記空気流を分析し、且つ、前記脳卒中指示器が、閉塞性無呼吸の前記発生の関数として計算される請求項２に記載の方法。
【請求項４】
前記脳卒中指示器が、中枢性無呼吸の前記発生と前記閉塞性無呼吸の前記発生の比の関数である請求項３に記載の方法。
【請求項５】
時間が経過すると、前記脳卒中指示器を記録することを包含する請求項４に記載の方法。
【請求項６】
さらに前記脳卒中指示器の変化を確認するために、時間が経過すると、前記脳卒中指示器を分析するステップを構成する請求項５に記載の方法。
【請求項７】
前記確認ステップが、現在のセッションの患者に供給した圧力から、第１百分率圧力を確認するために前記空気流を分析するステップと、第１百分率圧力を前のセッションで前記患者に供給した圧力である第２百分率圧力と比較するステップとを包含する請求項１に記載の方法。
【請求項８】
前記第１及び第２百分率圧力が、９５番目の百分率圧力である請求項７に記載の方法。
【請求項９】
前記脳卒中指示器が患者の神経回復度を表示する請求項６〜８のいずれかに記載の方法。
【請求項１０】
前記脳卒中指示器が、苦痛を覚える患者の脳卒中のタイプを表示する請求項４に記載の方法。
【請求項１１】
さらに、複数の患者用の脳卒中指示器のデータベースに前記脳卒中指示器の記録ステップを構成した請求項１に記載の方法。
【請求項１２】
さらに、前記脳卒中指示器に基づいた次の治療を確認するステップを構成した請求項１に記載の方法。
【請求項１３】
前記治療がＣＰＡＰ治療の形態である請求項１２に記載の方法。
【請求項１４】
前記治療が薬物治療である請求項１２に記載の方法。
【請求項１５】
さらに、投与した薬の効果を査定するために、前記脳卒中指示器を変更する査定ステップを構成する請求項１に記載の方法。
【請求項１６】
前記脳卒中指示器を評価する前記ステップが、患者情報のデータベースに前記脳卒中指示器を記憶することを包含する請求項１５に記載の方法。
【請求項１７】
前記脳卒中指示器が、多数の中枢性無呼吸の発生の関数である請求項１６に記載の方法。
【請求項１８】
前記脳卒中指示器が、多数の閉塞性無呼吸の発生の関数である請求項１７に記載の方法。
【請求項１９】
前記脳卒中指示器が、中枢性無呼吸の発生数と閉塞性無呼吸の発生数の比の関数である請求項１８に記載の方法。
【請求項２０】
脳卒中発症後の患者の状況を査定するための装置が、以下により構成される。マスクと、前記マスクに大気圧以上の圧力で通気性を提供するブロワーと、患者の空気流を表示する流れ信号を生成する流れセンサとを有し、コンピュータが前記流れ信号を処理し、そして前記コンピュータが、患者に大気圧以上の圧力で通気性を提供する前記ブロワーを制御し、そして前記流れ信号から脳卒中指示器を計算し、前記脳卒中指示器が患者の状態についての情報を表すようにプログラムされた前記ブロワーを制御する。
【請求項２１】
前記脳卒中指示器を計算するための前記命令が、中枢性無呼吸の発生を確認するために前記流れ信号の分析を制御し、前記命令が前記中枢性無呼吸発生の関数として前記脳卒中指示器を計算する請求項２０に記載の装置。
【請求項２２】
前記脳卒中指示器を計算するための前記命令が、閉塞性無呼吸の発生を確認するために前記空気流の分析を制御し、そして前記命令が閉塞性無呼吸の前記発生の関数として前記脳卒中指示器を計算する請求項２１に記載の装置。
【請求項２３】
前記脳卒中指示器を計算するための前記命令が、前記中枢性無呼吸の発生と前記閉塞性無呼吸の発生の比の関数として、前記脳卒中指示器の計算を制御する請求項２２に記載の装置。
【請求項２４】
時間が経過すると、前記コンピュータが、さらに前記脳卒中指示器を記録するための命令をプログラムした請求項２３に記載の装置。
【請求項２５】
前記コンピュータが、さらに時間が経過すると、前記脳卒中指示器の変更を確定するように前記脳卒中指示器の分析を制御するための命令をプログラムした請求項２４に記載の装置。
【請求項２６】
前記脳卒中指示器を計算するための前記命令が、現在のセッションにおいて患者に供給した圧力から第１百分率圧力の確定を制御し、前のセッションにおいて前記患者に供給した圧力から第２百分率圧力と比較する前記第１百分率圧力を確定した請求項２０に記載の装置。
【請求項２７】
前記第１及び第２百分率圧力が、９５番目の百分率圧力である請求項２６に記載の装置。
【請求項２８】
さらに、複数の患者のために、脳卒中指示器のデータベースに前記脳卒中指示器を記録するための命令を備えた請求項２０に記載の装置。
【請求項２９】
さらに、次の治療を確認するための命令が、前記脳卒中指示器に基づくようにした請求項２０に記載の装置。
【請求項３０】
前記治療がＣＰＡＰ治療の形態である請求項２９に記載の装置。
【請求項３１】
前記治療が、薬物治療の変更である請求項２９に記載の装置。
【請求項３２】
査定するための命令が、投与した薬の効果を査定するように前記脳卒中指示器を変更する請求項２０に記載の装置。
【請求項３３】
前記脳卒中指示器を査定するための前記命令が、患者情報のデータベースに前記脳卒中指示器を記憶する請求項３２に記載の装置。
【請求項３４】
前記脳卒中指示器が、多数の中枢性無呼吸の発生の関数である請求項３３に記載の装置。
【請求項３５】
前記脳卒中指示器が、多数の閉塞性無呼吸の発生の関数である請求項３４に記載の装置。
【請求項３６】
前記脳卒中指示器の多数の中枢性無呼吸の発生と、多数の閉塞性無呼吸の発生の比の関数である請求項３５に記載の装置。
【請求項３７】
脳卒中発症後の患者の状態を査定するための装置が、
患者に大気圧以上の圧力で通気可能な空気を供給するための手段と、
患者の空気流を示す流れ信号を生成するための流れセンサ手段、
及び、前記流れ信号を処理し、前記コンピュータが患者に大気圧以上の圧力で通気可能な空気を供給する前記ブロワを制御し、前記流れ信号から脳卒中指示器を計算し、前記脳卒中指示器が患者の状態の情報を表示するという命令をプログラムした前記ブロワを制御するためのコンピュータ手段とで構成される。
【請求項３８】
前記脳卒中指示器を計算するための前記命令が、中枢性無呼吸の発生を確定する前記流れ信号の分析を制御し、そして前記命令が、前記中枢性無呼吸の発生の関数として前記脳卒中指示器を計算する請求項３７に記載の装置。
【請求項３９】
前記脳卒中指示器を計算するための前記命令が、閉塞性無呼吸の発生を確定する前記空気流の分析を制御し、そして前記命令が、前記閉塞性無呼吸の発生の関数として前記脳卒中指示器を計算する請求項３８に記載の装置。
【請求項４０】
前記脳卒中指示器を計算するための前記命令が、前記中枢性無呼吸の発生と前記閉塞性無呼吸の前記発生の比の関数として前記脳卒中指示器の計算を制御する請求項３９に記載の装置。
【請求項４１】
時間が経過すると前記コンピュータが、さらに前記脳卒中指示器を記録するように、命令をプログラムされる請求項４０に記載の装置。
【請求項４２】
さらに前記コンピュータが、時間が経過すると前記脳卒中指示器の変更を決定するように前記脳卒中指示器の分析を制御するための命令をプログラムされている請求項４１に記載の装置。
【請求項４３】
前記脳卒中指示器を計算するための前記命令が、現在のセッションの患者に供給する圧力から第１百分率圧力の判定と、前記第１百分率圧力と前のセッションの前記患者に供給した圧力から決定した第２百分率圧力の比較を制御する請求項３７に記載の装置。
【請求項４４】
前記第１及び第２百分率圧力が、９５番目の百分率圧力である請求項４３に記載の装置。
【請求項４５】
さらに、複数の患者のために脳卒中指示器のデータベースに、前記脳卒中指示器を記録するための命令を備えた請求項３７に記載の装置。
【請求項４６】
さらに、前記脳卒中指示器に基づいて次の治療を確認するための命令を備えた請求項３７に記載の装置。
【請求項４７】
前記治療が、ＣＰＡＰ治療の形態である請求項４６に記載の装置。
【請求項４８】
前記治療が、薬物治療の変更である請求項４６に記載の装置。
【請求項４９】
さらに査定するための命令が、投与された薬の効果を査定するために前記脳卒中指示器を変更する請求項３７に記載の装置。
【請求項５０】
前記脳卒中指示器を査定するための前記命令が、患者情報のデータベースに前記脳卒中指示器を記録する請求項４９に記載の装置。
【請求項５１】
前記脳卒中指示器が、多数の中枢性無呼吸の発生の関数である請求項５０に記載の装置。
【請求項５２】
前記脳卒中指示器が、閉塞性無呼吸の発生の関数である請求項５１に記載の装置。
【請求項５３】
前記脳卒中指示器が、多数の中枢性無呼吸の発生と多数の閉塞性無呼吸の発生の比の関数である請求項５２に記載の装置。
【請求項５４】
脳卒中発症後の患者の状態の評価を制御する電子処理装置で使用するための命令を内部に記録した記録媒体であって、前記命令が、患者の空気流の大きさから脳卒中指示器を計算し、前記空気流が大気圧以上の通気可能な空気圧を供給する間に測定され、前記脳卒中指示器が患者の状態について情報を表示するというステップの実行を制御する。
【請求項５５】
前記脳卒中指示器が、中枢性無呼吸の発生を確定する関数として計算される請求項５４に記載の媒体。
【請求項５６】
前記脳卒中指示器が、確定した閉塞性無呼吸の発生の関数として計算される請求項５５に記載の媒体。
【請求項５７】
前記脳卒中指示器が、前記中枢性無呼吸の発生と前記閉塞性無呼吸の発生の比の関数である請求項５６に記載の媒体。
【請求項５８】
さらに、時間が経過すると、前記脳卒中指示器を記録するステップを構成する請求項５７に記載の媒体。
【請求項５９】
さらに、前記脳卒中指示器の変更を確定するために、時間が経過すると前記脳卒中指示器を分析するステップを構成する請求項５８に記載の媒体。
【請求項６０】
前記確定ステップが、現在のセクションの患者に供給した圧力から第１百分率圧力を確定するために前記空気流を分析し、そして前のセクションの前記患者に供給した圧力から前記第１百分率圧力を第２百分率圧力と比較するステップを包含する請求項５４に記載の媒体。
【請求項６１】
前記第１及び第２百分率圧力が、９５番目の百分率圧力である請求項６０に記載の媒体。
【請求項６２】
前記脳卒中指示器が、患者のある程度の神経回復を表示する請求項５９又は６１の媒体。
【請求項６３】
前記脳卒中指示器が、患者が苦痛を受ける脳卒中のタイプを表示する請求項５７の媒体。
【請求項６４】
さらに、複数の患者用の脳卒中指示器のデータベースに前記脳卒中指示器を記録するための命令を備えた請求項５４に記載の媒体。
【請求項６５】
さらに、前記脳卒中指示器に基づいて次の治療を確認するための命令を備えた請求項５４に記載の媒体。
【請求項６６】
前記治療が、ＣＰＡＰ治療の形態である請求項６５に記載の媒体。
【請求項６７】
前記治療が、薬物治療の改変である請求項６５に記載の媒体。
【請求項６８】
さらに、投与した薬物の効果を査定する前記脳卒中指示器の改変を査定するための命令を備えた請求項５４に記載の媒体。
【請求項６９】
前記脳卒中指示器を査定するための前記命令が、患者情報のデータベースに前記脳卒中指示器を記録する請求項６６に記載の媒体。
【請求項７０】
前記脳卒中指示器が、多数の中枢性無呼吸の発生の関数である請求項６７に記載の媒体。
【請求項７１】
前記脳卒中指示器が、多数の閉塞性無呼吸の発生の関数である請求項７０に記載の媒体。
【請求項７２】
前記脳卒中指示器が、多数の中枢性無呼吸の発生と多数の閉塞性無呼吸の発生の比の関数である請求項７１に記載の媒体。
【請求項７３】
第１期間の間に患者に大気圧以上の圧力で通気可能な空気を供給し、前記第１期間の間に患者が経験した全ての呼吸低下と無呼吸の関数として第１インデックスを確定し、前記第１インデックスを閾値と比較し、前記第１インデックスが前記閾値を上回っていれば、そのときＣＰＡＰ治療の形態の間で選択するというステップからなる脳卒中発症後の患者の状態を査定するための方法。
【請求項７４】
さらに、患者についての睡眠履歴情報を問い合わせるステップを構成し、前記通気可能な空気の供給が、前記問い合わせからの情報に基づいている請求項７３に記載の方法。
【請求項７５】
さらに、前記第１期間の間に、前記患者が経験した多数の中枢性無呼吸と多数の閉塞性無呼吸の比として第２インデックスを確定するステップを構成し、ＣＰＡＰ治療の形態の間で選択した前記ステップが、前記第２インデックスの関数である請求項７３に記載の方法。
【請求項７６】
前記閾値が、およそ２０である請求項７５に記載の方法。
【請求項７７】
前記ＣＰＡＰの形態が、ＣＰＡＰと２層のＣＰＡＰとを包含している請求項７６に記載の方法。
【請求項７８】
前記第２インデックスが低度の中枢性無呼吸を表示したときに、前記ＣＰＡＰが選択される請求項７７に記載の方法。
【請求項７９】
さらに患者に提供する治療と関連する返済コードを確認するステップを構成する請求項７３に記載の方法。
【請求項８０】
脳卒中発症後の患者の状態を査定するための装置が、マスク、前記マスクに大気圧以上の圧力で通気可能な空気を供給するブロワ、患者の空気流の流れ信号表示を生成する流れセンサ、及び前記流れ信号を処理しかつ前記ブロワを制御するコンピュータとで構成されており、前記コンピュータが、第１期間の間に、患者に大気圧以上の圧力で通気可能な空気を供給し、前記第１期間の間に患者が経験した全ての呼吸低下と無呼吸の関数として第１インデックスを確定し、前記第１インデックスと閾値とを比較して、前記第１インデックスが前記閾値を超えていればＣＰＡＰ治療の形態の間で選択するという各ステップを命令するようにプログラムされている。
【請求項８１】
さらに、患者について睡眠履歴情報を問い合わせるステップを構成し、前記供給した通気可能な空気が、前記問い合わせからの情報に基づいている請求項８０に記載の装置。
【請求項８２】
さらに、前記第１期間の間に、前記患者が経験した多数の中枢性無呼吸と多数の閉塞性無呼吸の比として第２インデックスを確定するステップを構成し、ＣＰＡＰ治療の形態の間で選択する前記ステップが、前記第２インデックスの関数である請求項８０に記載の装置。
【請求項８３】
前記閾値が、およそ２０である請求項８２に記載の装置。
【請求項８４】
前記ＣＰＡＰの形態が、ＣＰＡＰと２層のＣＰＡＰからなる請求項８３に記載の装置。
【請求項８５】
前記第２インデックスが低度の中枢性無呼吸の発生を表示するときに、前記ＣＰＡＰが選択される請求項８４に記載の装置。
【請求項８６】
さらに、患者に提供する治療に関連した返済コードを確認するための命令を備えた請求項８０に記載の装置。
【請求項８７】
脳卒中発症後の患者の状態を査定するための装置が、患者に大気圧以上の圧力で通気可能な空気を供給する手段、患者の空気流の流れ信号表示を生成する流れセンサ手段、そして、前記流れ信号を処理しかつ前記ブロワを制御するコンピュータ手段とで構成され、第１期間の間に、前記コンピュータが、患者に大気圧以上の圧力で通気可能な空気を供給し、前記第１期間の間に患者が経験した全ての呼吸低下と無呼吸の関数として第１インデックスを確定し、前記第１インデックスと閾値とを比較し、前記第１インデックスが前記閾値を超えていればＣＰＡＰ治療の形態の間を選択するという命令がプログラムされている。
【請求項８８】
さらに、患者について睡眠履歴情報を問い合わせるステップを構成し、前記供給する通気可能な空気が、前記問い合わせからの情報に基づいている請求項８７に記載の装置。
【請求項８９】
さらに、前記第１期間の間に前記患者が経験した多数の中枢性無呼吸と多数の閉塞性無呼吸の比として第２インデックスを確定するステップを構成し、ＣＰＡＰ治療の形態の間で選択した前記ステップが前記第２インデックスの関数である請求項８７に記載の装置。
【請求項９０】
前記閾値が、およそ２０である請求項８９に記載の装置。
【請求項９１】
ＣＰＡＰの前記形態が、ＣＰＡＰと２層のＣＰＡＰからなる請求項９０に記載の装置。
【請求項９２】
前記第２インデックスが低度の中枢性無呼吸の発生を表示するときに、前記ＣＰＡＰが選択される請求項９１に記載の装置。
【請求項９３】
さらに、患者に提供する治療に関連している返済コードを確認するための命令を備えた請求項８７に記載の装置。
【請求項９４】
脳卒中発症後の患者の状態の査定を制御する電子処理装置で使用するための命令を内部に記憶した媒体であって、前記命令が、大気圧以上の圧力で供給した通気可能な空気の第１期間から患者が経験した全ての呼吸低下と無呼吸の関数として第１インデックスを確定し、前記第１インデックスと閾値とを比較し、前記第１インデックスが前記閾値を超えていればＣＰＡＰ治療の形態の間で選択するというステップの実行を制御する。
【請求項９５】
さらに、患者について睡眠履歴情報を問い合わせるステップを構成しており、前記供給する通気可能な空気が前記問い合わせからの情報に基づいている請求項９４に記載の媒体。
【請求項９６】
さらに、前記第１期間の間に前記患者が経験した多数の中枢性無呼吸と多数の閉塞性無呼吸の比として第２インデックスを確定するステップを構成し、ＣＰＡＰ治療の形態の間で選択される前記ステップが、前記第２インデックスの関数である請求項９４に記載の媒体。
【請求項９７】
前記閾値が、およそ２０である請求項９６に記載の媒体。
【請求項９８】
前記ＣＰＡＰの形態が、ＣＰＡＰと２層のＣＰＡＰからなる請求項９７に記載の媒体。
【請求項９９】
前記第２インデックスが低度の中枢性無呼吸の発生を表示するときに前記ＣＰＡＰの形態が選択される請求項９８に記載の媒体。
【請求項１００】
さらに、患者に提供される治療に関連する返済コードを確認するための命令を備えた請求項９４に記載の媒体。
【請求項１０１】
第１期間の間、患者が第１期間に有する多数の中枢性無呼吸と閉塞性無呼吸を確定し、患者が第１期間を有する多数の中枢性無呼吸と閉塞性無呼吸の比較から脳卒中指示器のインデックスを予測し、前記脳卒中指示器が、脳卒中から患者のリハビリについての情報を表す、というステップからなる脳卒中発症後の患者の脳卒中指示器を得る方法。
【請求項１０２】
患者の呼吸の空気流を計測するための空気流検出手段と、
患者の呼吸努力を計測するための努力検出手段と、
（ａ）空気流と努力検出手段を監視し、（ｂ）患者が第１期間を有する多数の中枢性無呼吸と閉塞性無呼吸を確定し、（ｃ）患者が第１期間を有する多数の中枢性無呼吸と閉塞性無呼吸の比較から脳卒中指示器のインデックスを予測し、前記脳卒中指示器のインデックスが、患者の脳卒中からの回復についての情報を表すようにプログラムされたコンピュータ手段と、
からなる脳卒中発症後の患者の脳卒中指示器を得るための装置。
【請求項１０３】
患者の呼吸信号を生成するための流れセンサと、
患者の努力信号を生成する呼吸バンドと、
データから、前記呼吸信号と前記努力信号から、そして患者が第１期間を有する多数の中枢性無呼吸と閉塞性無呼吸の比較から、脳卒中指示器のインデックスを予測するために、患者が第１期間を有する多数の中枢性無呼吸と閉塞性無呼吸を確定するようにプログラムしたコンピュータとからなり、
前記脳卒中指示器のインデックスが、患者の脳卒中からの回復についての情報を表す脳卒中発症後の患者の脳卒中指示器を得るための装置。
【請求項１０４】
脳卒中指示器の派生を制御するための電子処理装置で使用され、第１期間から呼吸の空
気流と患者の努力とを表すデータから確定した多数の中枢性無呼吸と閉塞性無呼吸の比較から脳卒中指示器のインデックスを予測し、前記脳卒中指示器のインデックスが、脳卒中からの患者の回復についての情報を表すというステップの実行を制御する前記命令を内部に記憶した媒体。